(57)【要約】      （修正有）【課題】１プライのトイレットペーパーにおけるやわかな質感を向上させる。【解決手段】坪量が１５〜２５ｇ／ｍ２、深さ０．９〜１．７ｍｍ、底部面積１．６〜２．２ｍｍ２のエンボスを、エンボス密度５０〜７０個／ｉｎｃｈ２かつ底部面積率１７〜２２％で付与して、圧縮仕事量ＷＣを１．９ｇｆ・ｃｍ／ｃｍ２以上とし、さらにエンボス底部の輪郭線の長さがエンボス深さの３．５〜４．５倍とし、エンボス底部のＭＤ方向の長さがＣＤ方向の長さの４０〜７０％であるトイレットペーパーにより解決される。【選択図】図１
2013202346.tif 000002
【特許請求の範囲】
【請求項１】
１プライのトイレットペーパーであって、
坪量が１５〜２５ｇ／ｍ2であり、
深さ０．９〜１．７ｍｍ、底部面積１．６〜２．２ｍｍ2のエンボスが、エンボス密度５０〜７０個／ｉｎｃｈ2かつ底部面積率１７〜２２％で付与され、
圧縮仕事量ＷＣが１．９ｇｆ・ｃｍ／ｃｍ2以上ある、
ことを特徴とするトイレットペーパー。
【請求項２】
エンボス底部の輪郭線の長さがエンボス深さの３．５〜４．５倍である請求項１記載のトイレットペーパー。
【請求項３】
エンボス底部のＭＤ方向の長さがＣＤ方向の長さの４０〜７０％である請求項１又は２記載のトイレットペーパー。
【発明の詳細な説明】
【技術分野】
【０００１】
本発明は、トイレットペーパーに関し、特に１プライのトイレットペーパーに関する。
【背景技術】
【０００２】
トイレットペーパーは、排泄後の清拭を主たる用途とするため、需用者は柔らかさを重視する。しかし、需要者はその柔らかさを、単に薄く、しなやかでコシがない実際の柔らかさだけではなく、表面の滑らかさとふんわりとした質感とを含めて評価していることが多い。
【０００３】
トイレットペーパーにおいては、需用者が求める柔らかいと評価する質感を高めるべく、嵩高さや厚みを増加させること目的の一つとして、エンボスを付与することが行なわれる。
【０００４】
しかし、従来のエンボス付与態様は、嵩高さや厚みは増加するが、それが必ずしもふんわり感が向上しておらず、柔らかいと評価される質感が十分に発現していないことがあった。
【０００５】
特に、シングル又はシングルタイプとも称される１枚（１プライ）もののトイレットペーパーは、薄くコシがないために、従来のエンボス付与態様では、エンボス凸面にざらつきを感じ、また、反発性も小さいためふんわり感を十分に感じられず、需用者は柔らかい質感と評価しないことが多い。
【先行技術文献】
【特許文献】
【０００６】
【特許文献１】特開２００５−１６０８６０
【特許文献２】特開２００３−２７５１２８
【発明の概要】
【発明が解決しようとする課題】
【０００７】
そこで、本発明の主たる課題は、シングルタイプとも称される１プライでありながら、表裏滑らかで、ふんわり感が感じられて使用者が柔らかいと評価する質感のトイレットペーパーを提供することにある。
【課題を解決するための手段】
【０００８】
上記課題を解決するための手段及びそれらの作用効果は次記のとおりである。
〔請求項１記載の発明〕
１プライのトイレットペーパーであって、
坪量が１５〜２５ｇ／ｍ2であり、
深さ０．９〜１．７ｍｍ、底部面積１．６〜２．２ｍｍ2のエンボスが、エンボス密度５０〜７０個／ｉｎｃｈ2かつ底部面積率１７〜２２％で付与され、
圧縮仕事量ＷＣが１．９ｇｆ・ｃｍ／ｃｍ2以上ある、
ことを特徴とするトイレットペーパー。
【０００９】
〔請求項２記載の発明〕
エンボス底部の輪郭線の長さがエンボス深さの３．５〜４．５倍である請求項１記載のトイレットペーパー。
【００１０】
〔請求項３記載の発明〕
エンボス底部のＭＤ方向の長さがＣＤ方向の長さの４０〜７０％である請求項１又は２記載のトイレットペーパー。
【００１１】
（作用効果）
本発明のトイレットペーパーは、１プライのトイレットペーパーでその坪量を１５〜２５ｇ／ｍ2としたうえ、深さ０．９〜１．７ｍｍ、底部面積１．６〜２．２ｍｍ2のエンボスを、エンボス密度５０〜７０個／ｉｎｃｈ2かつ底部面積率１７〜２２％で付与されており、その圧縮仕事量ＷＣは１．９ｇｆ・ｃｍ／ｃｍ2以上である。圧縮仕事量ＷＣが高いとエンボスが適度な抵抗で沈みこむようになり、これにより得られる感覚がふんわり感として需用者が柔らかいと感ずる質感の評価を高める。そして、その値が１．９ｇｆ・ｃｍ／ｃｍ2以上あると十分にふんわり感が感じられると評価される。なお、１プライのトイレットペーパーでは、薄くコシがないため弾力性や反発性が得られがたい。よって、このような弾力性、反発性と柔らかいと感ずる質感との相関は得られがたい。
【００１２】
また、本発明のトイレットペーパーは、エンボス底部の輪郭線の長さをエンボス深さの３．５〜４．５倍とすると、エンボス深さと底部の形状のバランスがよく、エンボスが厚み方向に潰れにくくなり、よりふんわり感がより感じられやすくなる。
【００１３】
また、エンボス底部のＭＤ方向の長さをＣＤ方向の長さの４０〜７０％とすると、表裏ともに滑らかでかつ表裏の滑らかさに差がないものとなり、柔らかな質感が高まり、より柔らかい質感と評価されるものとなる。
【発明の効果】
【００１４】
以上のとおり、本発明によれば、シングルタイプとも称される１プライでありながら、表裏滑らかで、ふんわり感が感じられて使用者が柔らかいと評価する質感のトイレットペーパーが提供される。
【図面の簡単な説明】
【００１５】
【図１】実施形態及び実施例１のトイレットペーパーのエンボスパターンを示す一部平面図である。
【図２】実施形態のトイレットペーパーのエンボスを説明するための図であり、図１のＸ部分の拡大図及びその模式的な断面を示す図である。
【図３】実施例２に係るトイレットペーパーのエンボスパターンを示す平面図である。
【図４】実施例３に係るトイレットペーパーのエンボスパターンを示す平面図である。
【図５】実施例４に係るトイレットペーパーのエンボスパターンを示す平面図である。
【図６】比較例１に係るトイレットペーパーのエンボスパターンを示す平面図である。
【図７】従来品１に係るトイレットペーパーのエンボスパターンを示す平面図である。
【図８】従来品２に係るトイレットペーパーのエンボスパターンを示す平面図である。
【図９】圧縮仕事量ＷＣを説明するためのグラフである。
【発明を実施するための形態】
【００１６】
次いで、本発明の実施形態について図面を参照しながら詳説する。
図１は本実施形態のトイレットペーパーのエンボスパターンを示す一部平面図であり、図２は本実施形態のトイレットペーパー１のエンボス１０を説明するための図である。図２は、図１のＸ部分の拡大図とその模式的な断面を示している。
【００１７】
本実施形態のトイレットペーパー１は、シングルタイプ又は単にシングルとも称される１プライのトイレットペーパーであり、クレープ紙の一方面から型押しされてエンボス１０が付与されている。したがって、紙面の一方面にエンボス凹部、他方面にそのエンボス凹部対応するエンボス凸部があるものとなっている。
【００１８】
この本実施形態のトイレットペーパー１の各エンボス１０，１０…の底部１１は平面又は底側凸のやや椀状をなし、その底面面積は１．６〜２．２ｍｍ2となっている。なお、この底面面積とは、エンボス凹部形成面側からの平面視の面積である。
【００１９】
本実施形態のトイレットペーパー１は、その底部面積のエンボス１０が、密度５０〜７０個／ｉｎｃｈ2で付与され、かつそのエンボス凹部側紙面の全面積に対する底部の面積の割合（底部面積率）が１７〜２２％となっている。
【００２０】
このエンボス形状及びエンボス付与態様の相乗によって、ふんわり感と相関する圧縮仕事量ＷＣを１．９ｇｆ・ｃｍ／ｃｍ2以上とすることができる。なお、圧縮仕事量ＷＣは数値が高いと、ある程度の抵抗で肌に密着しながら深く沈みこむように感じられ、これにより得られる感覚がふんわり感として需用者が柔らかいと感ずる質感の評価を高める。上限値は、特に定められるものではないが、１プライのトイレットペーパーであれば３．０ｇｆ・ｃｍ／ｃｍ2程度である。
【００２１】
なお、上記エンボス１０の底部面積が１．６ｍｍ2未満ではエンボスが過度に潰れ難くなってふんわり感が発現し難くなり、反対に２．２ｍｍ2を超えても過度に潰れやすくなってふんわりとした感じが発現し難くなる。また、エンボス密度が５０個／ｉｎｃｈ2未満であると、エンボスが潰れやすくなりふんわり感が低下するとともに、表面のざらつきが感じられるようになる。７０個／ｉｎｃｈ2を超えると、エンボスが過度に潰れ難くなって硬い感じがするようになる。このようにエンボス及びその付与態様が本実施形態の範囲外であると需用者が柔らかいと感ずる質感が得られなくなる。
【００２２】
他方、本実施形態に係るトイレットペーパー１は、坪量が１５〜２５ｇ／ｍ2とされている。この坪量はＪＩＳ  Ｐ  ８１２４に基づくものである。坪量がこの範囲外であると、上記エンボス１０及び付与態様としても十分なふんわり感が感じられない。特に、坪量が１５ｇ／ｍ2未満であると柔らかさの点においては好ましいが、十分なコシがなく圧縮仕事量ＷＣ１．９ｇｆ・ｃｍ／ｃｍ2以上にすることが難しくなる。また、坪量が２５ｇ／ｍ2を超えると、トイレットペーパー１が硬くなりすぎて、肌触りが悪化して、需用者が求める柔らかい質感が高まらない。
【００２３】
ここで、本実施形態のトイレットペーパー１における圧縮仕事量ＷＣは、トイレットペーパーを８枚重ねた試料を、５０ｇｆ／ｃｍ2を圧縮の上限として圧縮したさいの仕事量であり、ハンディ圧縮試験器（ＫＥＳ−Ｇ５）を用いて測定することができる。測定は、圧縮面積２ｃｍ2の円形平面をもつ鋼板を速度０．００５ｃｍ／ｓｅｃで、最大圧縮荷重５０ｇｆ／ｃｍ2まで８枚重ねの試料を圧縮する。なお、この操作を、圧縮負荷（ｇｆ／ｃｍ2）をＹ軸にとり、厚み（ｍｍ）をＸ軸にとると、図９に示すグラフとなり、そのグラフの斜線部の面積（Ｓ）が圧縮仕事量ＷＣである。
【００２４】
この圧縮仕事量ＷＣは上述のとおりふんわりとした感覚と相関があり、特に１．９ｇｆ・ｃｍ／ｃｍ2であるとふんわり感が感じられるようになり、需用者が柔らかいと感ずる質感が確保される。
【００２５】
他方、本実施形態のトイレットペーパー１のエンボス１０は、特に需用者が柔らかいと感ずる質感とすべく、エンボス１の平面視形状（図２中Ａで示す部分の外形）とその底部１１の形状とが概ね相似形とされ、特に底部１１と紙面との間の壁面（以下、外郭１２ともいう）がほぼ垂直からやや傾斜する程度とされて、エンボス１０の平面視形状の面積（図２中Ａで示す部分の面積）が、底部１１の面積の１．０〜１．３倍となっている。１．３倍を超えると外郭１２による底部１１の支持が弱くエンボス１０が潰れ易くなり、ふんわり感向上の効果が発現し難くなる。反対に１．０倍未満、すなわちほぼ同形状で同じ大きさより小さいとエンボスを付与する際のエンボスロール等から紙面が剥がれ難くなり製造が難しくなる。
【００２６】
なお、図１に示す本実施形態のトイレットペーパー１のエンボス１０の形状は、楕円であるが、必ずしもこれに限定されない。その他に円形、角取り四角形が例示できる。但し、好ましくは円形、楕円形である。角部がなく圧縮に対して外郭全体に圧縮力が分散され、ふんわり感が感じられやく、また、表裏面が滑らかとなり、需要者が柔らかいと感ずる質感となりやすい。
【００２７】
また、本実施形態のトイレットペーパー１は、好ましくエンボス底部１１の輪郭線の長さＬ１がエンボス深さＬ２の３．５〜４．５倍となっている。この範囲である圧縮仕事量ＷＣが１．９ｇｆ・ｃｍ／ｃｍ2によりなりやすい。ここで、エンボス底部１１の輪郭線とは、エンボス底部１１の形状の周縁の総長さであり、エンボス底部の形状が円であれば円周となる。このエンボス底部１１の輪郭線の長さＬ１がエンボス深さＬ２の４．５倍を超えるとエンボス底部１１の中央部分の張りがなくなりへたりやすくなるおそれが高まる。また、３．５倍よりも小さくなると、エンボス底部１１を支持する外郭１２が低くなり、エンボス全体が圧力で潰れやすくなるおそれ高まる。
【００２８】
また、本実施形態のトイレットペーパー１は、特にエンボス底部１１のＭＤ方向の長さＬ３がＣＤ方向の長さＬ４の４０〜７０％となっている。すなわち、底部１１の形状は、ＭＤ方向の長さＬ３がＣＤ方向Ｌ４より短い形状となっている。
【００２９】
ＭＤ方向とは、抄紙工程における流れ方向であり、トイレットペーパーを構成するクレープ紙ではそのクレープの山、谷の延在方向に対して直行する方向である。ＣＤ方向は、ＭＤ方向に直行する方向であり、クレープ紙ではそのクレープの山、谷の延在方向である。
【００３０】
エンボス底部１１を上記構成とすると、多数のエンボス１０の底部１１や外郭１２のエッジのうち、クレープの山、谷の延在方向であるＣＤ方向に沿う部分の長さが適度となり、エッジによる引っかかりが適度になり、表裏面の滑らかさがより優れるようになるとともに、表裏面の滑らかさの差も小さくなる。
【００３１】
なお、７０％を超えるとややエッジによる引っかかりが感じられるようになり、４０％未満であると、細長形状となりエッジのＣＤ方向に沿う部分が過剰に強調され、ＭＤ方向にざらつきが感じられるようになる。
【００３２】
他方、本実施形態のトイレットペーパー１におけるエンボス１０は、金属製エンボスロールと、これを受ける弾性ロールとで構成されるスチールラバー方式のエンボス付与装置によりエンボス加工するのがよい。その際のロール間の線圧は５〜３０ｋｇ／ｃｍとするのがよい。
【００３３】
本実施形態のトイレットペーパー１は、既知のトイレットペーパー用のクレープ紙にエンボス加工をして形成できるが、そのクレープ紙の原料パルプは特に限定されない。好適には、柔らかさの点で、特にバージンパルプのみをパルプ原料とするのがよく、その場合、特にＮＢＫＰ（針葉樹クラフトパルプ）とＬＢＫＰ（広葉樹クラフトパルプ）とを配合したものがよい。その配合割合（ＪＩＳ Ｐ ８１２０）は、ＮＢＫＰ：ＬＢＫＰ＝２５から４０：６０〜７５がよい。ＬＢＫＰが多いほうが柔らかさの点で望ましい。
【００３４】
なお、本実施形態のトイレットペーパーは、水解性を確保する必要がり、ＪＩＳ Ｐ ４５０１で規定される、ほぐれやすさの試験方法における水解性の結果が３〜３０秒であるのがよい。
【００３５】
なお、本実施形態のトイレットペーパー１は、紙管とも称される管芯に巻き取ったダトイレットペーパーロールとするのに適する。トイレットペーパーロール１００の外形は、一般的には、直径（巻径、外径と言われることもある）が１１５〜１２５ｍｍ、ロール幅（ペーパー幅と同一である）が１１０〜１２０ｍｍ、紙管の直径が３５〜５０ｍｍとなっており、本実施形態のトイレットペーパーも係る外形のトイレットロールとすることができる。なお、一般的なトイレットペーパーロールでは、トイレットペーパー１の長手方向が紙の縦方向（ＭＤ方向）であり、幅方向が横方向（ＣＤ方向）となる。
【実施例】
【００３６】
次いで、本発明の実施例のトイレットペーパーと、比較例のトイレットペーパー、さらに市販のエンボスを有する従来品のトイレットペーパーについて、圧縮仕事量ＷＣと滑らかさの指標となるＭＭＤを測定するとともに、厚み感、滑らかさ、柔らかさについて官能試験を行なった。各例にかかるエンボスの構成、エンボス付与態様、その他の物性値と試験結果は下記表１に示すとおりである。また、各例に係る平面視におけるエンボスパターンは、実施例２が図３、実施例３が図４、実施例４が図５のようになっており、また、比較例１が図６、従来品１が図７、従来品２が図８のようになっている。各例のエンボス深さは同一とした。
【００３７】
圧縮仕事量ＷＣは、ハンディ圧縮試験器 ＫＥＳ−Ｇ５（カトーテック株式会社製）を用いて測定した。
【００３８】
ＭＭＤは、摩擦感テスター  ＫＥＳ−ＳＥ（カトーテック株式会社製）を用いて摩擦係数を測定し、その摩擦係数を摩擦距離（移動距離＝２ｃｍ）で除した値をＭＭＤ値とした。
【００３９】
官能試験は、普段１プライのトイレットペーパーを使用する者３０人を被験者とし、普段と同様に各例に係るトイレットペーパーを使用した際の厚み感とざらつき感を５段階で評価してもらうこととした。表中の数値は、３０人の平均値を四捨五入した値である。なお、評価は「５」：良い、「４」：やや良い、「３」：ふつう、「２」：あまり良くない、「１」：良くないである。
【００４０】
【表１】
2013202346.tif 000003
【００４１】
表１に示されるとおり、本発明の実施例１〜４は、従来品１、２や比較例１よりもＭＭＤの値が低く滑らかさに優れる。また、表裏の差も小さい。さらに、官能評価については、使用者はふんわり感、滑らかさに優れ、柔らかい質感と評価しているさ。このことから、本発明の実施例は、需用者が柔らかい質感と感ずるものといえる。
【００４２】
また、実施例１〜４は、従来品より、エンボスの底部面積が広く、底部面積率が高い傾向となっており、エンボスが大きく、広範にエンボスが付与されている。また、エンボス密度は、従来例１より低く、従来例２とほぼ同様である。このことからエンボス構成及び付与態様の相乗により、柔らかさの評価が高くなったと推測される。
【符号の説明】
【００４３】
１…トイレットペーパー、１０…エンボス、１１…エンボス底部、１２…外郭、Ｌ１…エンボス底部の輪郭線長さ、Ｌ２…エンボス深さ、Ｌ３…エンボス底部のＭＤ方向長さ、Ｌ４…エンボス底部のＣＤ方向長さ。
【図１】
2013202346.tif 000004
【図２】
2013202346.tif 000005
【図３】
2013202346.tif 000006
【図４】
2013202346.tif 000007
【図５】
2013202346.tif 000008
【図６】
2013202346.tif 000009
【図７】
2013202346.tif 000010
【図８】
2013202346.tif 000011
【図９】
2013202346.tif 000012